(57)【特許請求の範囲】
【請求項１】
壁部材に固定されたブラケットの両端部の断面略Ｌ字状部に係合される係合部を有し、前記ブラケットを覆った状態で支持されてなるブラケットのカバー部材であって、
前記係合部は、前記ブラケットの断面略Ｌ字状部を一方向のみから支持してなる第１爪と、該第１爪から離間した位置で且つ前記一方向とは逆側の方向のみから前記ブラケットの断面略Ｌ字状部を支持してなる第２爪とよりなり、前記係合部には、第１爪に対向した位置に、前記ブラケットの断面略Ｌ字状部に当接可能な段差をしたことを特徴とするブラケットのカバー部材。
【発明の詳細な説明】
【０００１】
【発明の属する技術分野】
本発明は、乗り物、家屋などの壁部材に固定されたブラケットを覆う化粧用のカバー部材に関する。
【０００２】
【従来の技術】
従来のブラケットのカバー部材として、例えば、実開平６ー０１３９３２号公報に示すように、フロアパネルなど車体構成部材としての壁部材に固定されたブラケットの両端部の断面略Ｌ字状部に係合される係合部を有し、前記ブラケットをカバー部材で覆って、該ブラケットの断面略Ｌ字状部にカバー部材の係合部が係合支持されてなるタイプのものがある。この係合部の係合力は、前記壁部材に配設されたカーペットなどの反発力により生じさせている。
【０００３】
【発明が解決しようとする課題】
しかしながら、かかる構成によれば、カーペットなどの反発力を生じさせる部材の板厚が薄い場合はカーペットなどを弱く抑えられる場合があり、かかる場合には、ブラケットの両端部の断面略Ｌ字状部とカバー部材の係合部との間で、両者が干渉することによって生じる「がた音」が発生するおそれがある。
【０００４】
また、逆にカーペットなどの反発力を生じさせる部材の板厚が厚すぎる場合は、反発力が大きすぎてブラケットにカバー部材を取り付けられない場合があり、改善が求められている。
【０００５】
本発明は、以上の課題に鑑みてなされたものであり、カーペットなどの反発力を生じさせる部材の板厚がどうであれ、確実にブラケットに支持が可能なるブラケットのカバー部材を提供することを目的とする。
【０００６】
【課題を解決するための手段】
上記目的を達成するため、請求項１に記載の発明は、壁部材に固定されたブラケットの両端部の断面略Ｌ字状部に係合される係合部を有し、前記ブラケットを覆った状態で支持されてなるブラケットのカバー部材であって、前記係合部は、前記ブラケットの断面略Ｌ字状部を一方向のみから支持してなる第１爪と、該第１爪から離間した位置で且つ前記一方向とは逆側の方向のみから前記ブラケットの断面略Ｌ字状部を支持してなる第２爪とよりなり、前記係合部には、第１爪に対向した位置に、前記ブラケットの断面略Ｌ字状部に当接可能な段差をしたことを特徴とする。
【０００７】
請求項１に記載の発明によれば、カバー部材の第１爪がブラケットの断面略Ｌ字状部に係止されると共に第１爪と逆方向から第２爪がブラケットの断面略Ｌ字状部に係止されるので、第１爪と第２爪とより断面略Ｌ字状部を挟持することで、ブラケットに対するカバー部材の係止が確実となり、カーペットなどの反発力を生じさせる部材の板厚に影響を受けないことになる。
【０００９】
また、予定した位置より壁部材から離れる方向にブラケットの断面略Ｌ字状部が位置しても、段差に当接することで所定以上の位置に第１爪が移動されないので、該ブラケットの断面略Ｌ字状部に係止される第２爪が折損することがない。
【００１２】
【発明の実施の形態】
以下、本発明の実施の形態を図面に基づいて説明する。
【００１３】
図１乃至図８は、本発明の一実施の形態を示し、図１は座席の側面図、図２は図１のカバー部材の側面図、図３は図２の矢視Ａにかかる上面図、図４及び図５はそれぞれ図３のＳＢ−ＳＢ，ＳＣ−ＳＣ線に沿った断面図、図６及び図７は図４及び図５のＤ部、Ｅ部の拡大断面図、図８は図１のＳＦ−ＳＦ線に沿った断面図である。
【００１４】
本発明の座席１は、シートバック２とシートクッション３とよりなる。前記シートクッション３は、スライド装置４により前後ＦＲ，ＲＲに移動自在である。該スライド装置４は、「壁部材」であるフロアパネル５に支持された固定レール６と、該固定レール６に摺動自在な可動レール７とより構成され、前記固定レール６の底面に支持された「ブラケット」であるスライドアンカ８が前記フロアパネル５のセカンドクロスメンバ５ａにボルト９により支持されている。
【００１５】
スライドアンカ８の両端部の断面略Ｌ字状部８ａ，８ｂには、合成樹脂製で板厚２ミリのカバー部材１０が支持されている。該カバー部材１０は、図２に示すように、前記固定レール６に沿った水平の脚部１０ａと、該脚部１０ａの前側に配されて水平線に対して３０度下がった傾斜状に形成される前部１０ｂとより形成されてなり、前記スライドアンカ８全体を覆った状態で支持されてなる。
【００１６】
前記脚部１０ａは、前記固定レール６を避けた幅２８ミリの切り欠き部１０ｃが形成されてなると共に、前記スライドアンカ８の両端部の断面略Ｌ字状部８ａ，８ｂの上面に当接する位置決め部１０ｄが形成されている。前記前部１０ｂは、断面がハット状に形成され、前記したように水平線に対して３０度下がった傾斜状をなすので、その傾斜に直角、つまり水平線に対して角度Θが７０度となる方向が成形型の型抜き方向である。かかる型抜き方向に沿って、前記断面略Ｌ字状部８ａ，８ｂに係合される係合部１１を有する。
【００１７】
前記係合部１１は、前記スライドアンカ８の断面略Ｌ字状部８ａ，８ｂを一方向、つまりフロアパネル５のセカンドクロスメンバ５ａ側のみから支持してなる第１爪１２と、該第１爪１２の両サイドから２ミリずつそれぞれ離間した位置で且つ前記一方向とは逆側の方向のみから断面略Ｌ字状部８ａ，８ｂを支持してなる第２爪１３、１３とよりなる。
【００１８】
前記第１爪１２は、図４及び図６に示すように、カバー部材１０の内側に突設された突起部１４に形成され、図８に示す断面位置では、前記スライドアンカ８の断面略Ｌ字状部８ａ，８ｂに係合している。この時、第１爪１２を形成した突起部１４で、カーペット１５の上面に厚さ２ミリの毛１６を上から押している。この第１爪１２の縦壁１２ａは、前記スライドアンカ８の断面略Ｌ字状部８ａ，８ｂのこば面に対して０．６２５ミリの隙間を設定している。
【００１９】
前記第１爪１２に対向した突起部１４の位置、即ち図６の符号１２ｂの位置には、段差１７が形成され、該段差１７の面側には、ストッパ１７ａ，１７ｂが形成されていて、前記スライドアンカ８の端部である断面略Ｌ字状部８ａ，８ｂに当接することが可能である。
【００２０】
前記第２爪１３は、図５及び図７に示すように、カバー部材１０の内側に突設された突起部１４に形成され且つ上側から４５度の角度で、図８に示す断面位置では、前記スライドアンカ８の断面略Ｌ字状部８ａ，８ｂの上面から１．２ミリ食い込む関係で係合している。この時、カバー部材１０の端部１０ａで、カーペット１５の上面に厚さ２ミリの毛１６を上から押している。この時、前記段差１７が形成されているので、カーペット１５の板厚が、設計値よりも薄くても、該段差１７のストッパ１７ａ以上には、カバー部材１０は押し下げられないので、前記第２爪１３は折損されずに済むことになる。また、カーペット１５の板厚が設計値よりも厚くても、前記段差１７のストッパ１７ｂ以上にはカバー部材１０は持ち上げられないので、カバー部材１０が外れてしまうことがない。
【００２１】
従って、本実施態様によれば、かかる構成よりなるから、前記カバー部材１０をスライドアンカ８の前側から後側にスライドさせると、前記カバー部材１０の第１爪１２が、前記スライドアンカ８の端部である断面略Ｌ字状部８ａ，８ｂに係止されると共に第１爪１２と逆方向から第２爪１３が前記スライドアンカ８の断面略Ｌ字状部８ａ，８ｂに係止されるので、第１爪１２と第２爪１３とより断面略Ｌ字状部８ａ，８ｂを挟持することで、スライドアンカ８に対するカバー部材１０の係止が確実となり、カーペット１５などの反発力を生じさせる部材の板厚に影響を受けないことになる。
【００２２】
また、予定した位置よりフロアパネル５から離れる方向に前記スライドアンカ８の端部である断面略Ｌ字状部８ａ，８ｂの位置がきても、段差１７に当接することで所定以上の位置に第１爪１２が支持されないので、前記スライドアンカ８の断面略Ｌ字状部８ａ，８ｂに係止される第２爪１３が折損することがない。
【００２３】
前記実施形態は、「壁部材」が、車体構成部材であるフロアパネル５に限定して説明したが、「壁部材」は、かかるフロアパネル５に限定される訳ではなく、自動車のドアインナパネル、センタピラインナパネルなどでも良いし、家屋の室内壁でも良い。要は、カバー部材がブラケットの端部に係止される関係にあるものであれば、この発明の重要な要素をなすものといえる。
【００２４】
【発明の効果】
請求項１に記載の発明によれば、カバー部材の第１爪がブラケットの断面略Ｌ字状部に係止されると共に第１爪と逆方向から第２爪がブラケットの断面略Ｌ字状部に係止されるので、第１爪と第２爪とより断面略Ｌ字状部を挟持することで、ブラケットに対するカバー部材の係止が確実となり、カーペットなどの反発力を生じさせる部材の板厚に影響を受けないことになる。
【００２５】
また、予定した位置より壁部材から離れる方向にブラケットの断面略Ｌ字状部が位置しても、段差に当接することで所定以上の位置に第１爪が移動されないので、該ブラケットの断面略Ｌ字状部に係止される第２爪が折損することがない。
【図面の簡単な説明】
【図１】本発明の実施の形態を示す座席の側面図。
【図２】図１のカバー部材の側面図。
【図３】図２の矢視Ａにかかる上面図。
【図４】図３のＳＢ−ＳＢ線に沿った断面図。
【図５】図３のＳＣ−ＳＣ線に沿った断面図。
【図６】図４のＤ部の拡大断面図。
【図７】図５のＥ部の拡大断面図。
【図８】図１のＳＦ−ＳＦ線に沿った断面図。
【符号の説明】
１  座席
５  「壁部材」であるフロアパネル
８  「ブラケット」であるスライドアンカ
８ａ，８ｂ  「ブラケットの端部」であるスライドアンカの両端部の断面略Ｌ字状部
１０  カバー部材
１１  係合部
１２  第１爪
１３  第２爪
１７  段差
【図１】
0003640834.tif 000002
【図２】
0003640834.tif 000003
【図３】
0003640834.tif 000004
【図４】
0003640834.tif 000005
【図５】
0003640834.tif 000006
【図６】
0003640834.tif 000007
【図７】
0003640834.tif 000008
【図８】
0003640834.tif 000009